(57)【要約】【課題】駆動スイッチをオフ状態にロックするためのオフロックスイッチを備える場合において、延長ハンドルの取付作業負担をより一層軽減する。【解決手段】工具本体１の把持部１１に取り付けられる取付部２１は、オフロックスイッチ８をロック解除するためのオフロック解除部を有する上側部材３０と、駆動スイッチをオン状態にするための駆動スイッチ作動部を有する下側部材３１とを備え、上側部材３０を把持部１１に取り付けることによりオフロックスイッチ８がロック解除され、下側部材３１を把持部１１に取り付けることにより駆動スイッチがオン状態となる。【選択図】図３
2010046723.tif 000002
【特許請求の範囲】
【請求項１】
把持部を有する工具本体と、該工具本体の把持部に着脱自在に取付可能な延長ハンドルとを備え、工具本体は、駆動部をオンオフするための駆動スイッチと、該駆動スイッチをオフ状態にロックするためのオフロックスイッチとを備え、延長ハンドルは、ポール部と、該ポール部の一端部に設けられて工具本体の把持部に取り付けられる取付部と、ポール部の他端部に設けられたハンドル部とを備えている延長ハンドル付きの手持ち式電動工具であって、
取付部は、オフロックスイッチをロック解除するためのオフロック解除部と、駆動スイッチをオン状態にするための駆動スイッチ作動部とを備え、
該取付部は、工具本体の把持部に取り付けられる際において、第１の取付操作によりオフロック解除部がオフロックスイッチをロック解除し、その後の第２の取付操作により駆動スイッチ作動部が駆動スイッチをオン状態とするように構成されていることを特徴とする延長ハンドル付きの手持ち式電動工具。
【請求項２】
取付部は、オフロック解除部を有する第１の部材と駆動スイッチ作動部を有する第２の部材とを備え、第１の部材を把持部に取り付けることによりオフロックスイッチがロック解除され、第２の部材を把持部に取り付けることにより駆動スイッチがオン状態となる請求項１記載の延長ハンドル付きの手持ち式電動工具。
【請求項３】
第１の部材は、断面視略Ｃ字状でその開口部が広狭するように可撓性を備えてその可撓性により把持部に仮固定されるように構成されている請求項２記載の延長ハンドル付きの手持ち式電動工具。
【請求項４】
第１の部材は把持部に上方から取り付けられる構成であって、オフロックスイッチは水平方向に突出していてそれを押入することでロック解除される構成とされ、第１の部材には、オフロック解除部として、摺動によりオフロックスイッチを押入させるテーパ面が形成されている請求項２記載の延長ハンドル付きの手持ち式電動工具。
【請求項５】
第１の部材にはテーパ面の両側に規制壁部がそれぞれ設けられ、把持部に第１の部材を上方から取り付ける際にオフロックスイッチが両規制壁部間を相対移動するように構成されている請求項４記載の延長ハンドル付きの手持ち式電動工具。
【請求項６】
取付部は第１の部材と第２の部材を含む複数の部材から構成され、該複数の部材は互いにヒンジ連結されて把持部を周方向に巻回する構成であり、周方向の一端部に位置する部材と他端部に位置する部材とを互いに連結する連結手段を備えている請求項２記載の延長ハンドル付きの手持ち式電動工具。
【請求項７】
一端部に取付部が設けられ他端部にハンドル部が設けられたポール部を備え、駆動部をオンオフするための駆動スイッチと該駆動スイッチをオフ状態にロックするためのオフロックスイッチとを備えた電動工具の把持部に、前記取付部により着脱自在に取り付けられる手持ち式電動工具用の延長ハンドルであって、
取付部は、オフロックスイッチをロック解除するためのオフロック解除部と、駆動スイッチをオン状態にするための駆動スイッチ作動部とを備え、
該取付部は、電動工具の把持部に取付される際において、第１の取付操作によりオフロック解除部がオフロックスイッチをロック解除し、該第１の取付操作に続く第２の取付操作により駆動スイッチ作動部が駆動スイッチをオン状態とするように構成されていることを特徴とする手持ち式電動工具用の延長ハンドル。
【発明の詳細な説明】
【技術分野】
【０００１】
本発明は、把持部を把持して作業を行うことができると共に延長ハンドルを取り付けて使用することもできる延長ハンドル付きの手持ち式電動工具，及び、手持ち式電動工具用の延長ハンドルに関するものである。
【背景技術】
【０００２】
従来、この種の手持ち式電動工具としては手持ち式電動バリカン等種々存在し、作業を行うに際してはその把持部を把持しながら例えば膝を折り曲げた状態で行うことになる。そして、着脱式の延長ハンドルを備える場合には、その延長ハンドルを電動工具に取り付けることによって、例えば立ったままの状態で作業を行うことができるため、特に腰や膝への負担が軽減されるという利点がある。
【０００３】
また、電動工具はその駆動部をオンオフさせるための駆動スイッチを備えており、延長ハンドルを使用しない場合にはその工具本体側に設けられた駆動スイッチを手で操作してオン状態として作業を行うことになる。従って、延長ハンドルを使用する場合にも工具本体側の駆動スイッチをオン状態とする必要がある。
【０００４】
そこで、本出願人は、延長ハンドルを工具本体に取り付けることによって駆動スイッチをオン状態にすることができる構成について既に提案している（下記特許文献１参照）。
【特許文献１】特開２００７−１５０８９号公報
【発明の開示】
【発明が解決しようとする課題】
【０００５】
一方、電動工具には、駆動スイッチが不用意にオン状態にならないようにそれをオフ状態にロックするオフロックスイッチを備えるものも存在する。しかしながら、既提案のものでは、延長ハンドルを取り付ける際に、一方の手でオフロックスイッチを操作してそのロックを解除しつつ、他方の手で延長ハンドルを把持部に取り付けるという作業を行う必要があった。
【０００６】
そこで本発明は上記従来の問題点に鑑みてなされ、駆動スイッチをオフ状態にロックするためのオフロックスイッチを備える場合において、延長ハンドルの取付作業負担をより一層軽減することのできる延長ハンドル付きの手持ち式電動工具及び手持ち式電動工具用の延長ハンドルを提供することを課題とする。
【課題を解決するための手段】
【０００７】
本発明は上記課題を解決すべくなされたものであって、本発明に係る延長ハンドル付きの手持ち式電動工具は、把持部を有する工具本体と、該工具本体の把持部に着脱自在に取付可能な延長ハンドルとを備え、工具本体は、駆動部をオンオフするための駆動スイッチと、該駆動スイッチをオフ状態にロックするためのオフロックスイッチとを備え、延長ハンドルは、ポール部と、該ポール部の一端部に設けられて工具本体の把持部に取り付けられる取付部と、ポール部の他端部に設けられたハンドル部とを備えている延長ハンドル付きの手持ち式電動工具であって、取付部は、オフロックスイッチをロック解除するためのオフロック解除部と、駆動スイッチをオン状態にするための駆動スイッチ作動部とを備え、該取付部は、工具本体の把持部に取り付けられる際において、第１の取付操作によりオフロック解除部がオフロックスイッチをロック解除し、その後の第２の取付操作により駆動スイッチ作動部が駆動スイッチをオン状態とするように構成されていることを特徴とする。
【０００８】
該構成の延長ハンドル付きの手持ち式電動工具にあっては、取付部がオフロック解除部と駆動スイッチ作動部とを備えており、延長ハンドルを工具本体の把持部に取り付ける際、まず第１の取付操作を行うと、取付部のオフロック解除部によって工具本体のオフロックスイッチがロック解除される。その後、第２の取付操作を行うと、取付部の駆動スイッチ作動部によって工具本体の駆動スイッチがオン状態となる。このように延長ハンドルを工具本体に取り付ける作業を行うことにより、順次、工具本体のオフロックスイッチをロック解除でき、駆動スイッチもオン状態にすることができる。
【０００９】
特に、取付部は、オフロック解除部を有する第１の部材と駆動スイッチ作動部を有する第２の部材とを備え、第１の部材を把持部に取り付けることによりオフロックスイッチがロック解除され、第２の部材を把持部に取り付けることにより駆動スイッチがオン状態となることが好ましい。取付部を複数の部材から構成して、オフロック解除部と駆動スイッチ作動部を第１の部材と第２の部材に分離して設ける構成とすることにより、各部材の取付作業毎にオフロックスイッチと駆動スイッチを一つずつ操作していくことができるから、各スイッチ操作を確実に行うことができる。また、オフロック解除部と駆動スイッチ作動部を第１の部材と第２の部材に分離しているので、オフロック解除部と駆動スイッチ作動部を単一の部材に設ける場合に比して設計の自由度が高まると共にオフロック解除部と駆動スイッチ作動部の構成が簡単なものとなる。
【００１０】
また、第１の部材が断面視略C字状でその開口部が広狭するように可撓性を備えてその可撓性により把持部に仮固定されるように構成されていることが好ましい。第１の部材が把持部に仮固定されると、第１の部材から手を離してもあるいは第１の部材を押さえる力が弱くても、オフロックスイッチのロック解除状態を維持することができ、その後の第２の部材の取付作業を楽に行うことができる。そして、可撓性を利用することで仮固定の構造を簡素化することができる。
【００１１】
一方、第１の部材は把持部に上方から取り付けられる構成であって、オフロックスイッチは水平方向に突出していてそれを押入することでロック解除される構成とされ、第１の部材には、オフロック解除部として、摺動によりオフロックスイッチを押入させるテーパ面が形成されていることが好ましい。第１の取付作業を上方から行うことができると、作業の際に目視確認しやすくその後の第２の部材の取付作業も容易である。しかも、第１の部材を上方から把持部に取り付ける作業を行うと、その第１の部材の相対的な下方移動によってテーパ面がオフロックスイッチと摺動しながらそれを押入するので、極めて簡単な操作でロック解除することができる。
【００１２】
更に、第１の部材にはテーパ面の両側に規制壁部がそれぞれ設けられ、把持部に第１の部材を上方から取り付ける際にオフロックスイッチが両規制壁部間を相対移動するように構成されていることが好ましい。両規制壁部によって把持部に対する第１の部材の位置が規制されることとなるので、第１の部材を所定位置に確実に取り付けることができ、オフロックスイッチも確実にロック解除される。
【００１３】
また一方で、取付部は第１の部材と第２の部材を含む複数の部材から構成され、該複数の部材は互いにヒンジ連結されて把持部を周方向に巻回する構成であり、周方向の一端部に位置する部材と他端部に位置する部材とを互いに連結する連結手段を備えていることが好ましい。第１の部材と第２の部材が互いに非連結の構造であってもよいが、取付部を構成する複数の部材が互いにヒンジ連結されて把持部を周方向に巻回する構成であると、第１の部材を把持部に取り付ける作業の後に、第２の部材の取付作業を容易に且つ連続的に行うことができ、把持部を巻回するという作業であるので取付作業も楽である。また、連結手段によって取付部の両端部同士が連結されて取付部が把持部を周回する状態となる。
【００１４】
また本発明に係る手持ち式電動工具用の延長ハンドルは、一端部に取付部が設けられ他端部にハンドル部が設けられたポール部を備え、駆動部をオンオフするための駆動スイッチと該駆動スイッチをオフ状態にロックするためのオフロックスイッチとを備えた電動工具の把持部に、前記取付部により着脱自在に取り付けられる手持ち式電動工具用の延長ハンドルであって、取付部は、オフロックスイッチをロック解除するためのオフロック解除部と、駆動スイッチをオン状態にするための駆動スイッチ作動部とを備え、該取付部は、電動工具の把持部に取付される際において、第１の取付操作によりオフロック解除部がオフロックスイッチをロック解除し、該第１の取付操作に続く第２の取付操作により駆動スイッチ作動部が駆動スイッチをオン状態とするように構成されていることを特徴とする。
【発明の効果】
【００１５】
以上のように、延長ハンドルを把持部に取り付ける作業を行うことで、順次、オフロックスイッチをロック解除でき、駆動スイッチもオン状態にすることができるので、オフロックスイッチを有する電動工具において延長ハンドルの取付作業を楽に行うことができる。
【発明を実施するための最良の形態】
【００１６】
以下、本発明の一実施形態にかかる延長ハンドル付きの手持ち式電動工具及び手持ち式電動工具用の延長ハンドルについて図面を参酌しつつ説明する。図１に本実施形態に係る延長ハンドル付きの手持ち式電動バリカンを示している。該電動バリカンは、把持部１１を有する工具本体１と、該工具本体１の把持部１１に着脱自在に取付可能な延長ハンドル２とを備えている。
【００１７】
工具本体１は、それ単体で電動バリカンとして使用されるものであって、前端部に刃部としてブレード３を備えており、把持部１１を把持しながらブレード３で芝を刈り込むことができる。把持部１１は本体ハウジング４に設けられている。該本体ハウジング４は、合成樹脂から射出成形により形成された左右二つ割りの部材同士を、内部空間を形成するように接合一体化されたものであって、図１に示すように、その略中央には左右に貫通する貫通孔５を形成するように全体として側面視略Ｄ字状に形成されている。該本体ハウジング４の前側のヘッド部１２には、ブレード３を駆動する駆動部としての図示しないモータが内蔵されている。そして、ヘッド部１２から後方に向けて前記把持部１１が延設されている。該把持部１１は、図６乃至図１０に示すように、筒状、具体的には、断面円形状あるいは縦長楕円形状であって、前記貫通孔５の上部に位置している。把持部１１は、図１に示すようにヘッド部１２から後方に向けて初めは略水平にその後は徐々に下方に湾曲し、前記貫通孔５の下部に位置するベース部１３の後部に一体的に連結されている。尚、把持部１１は、平面視としては図２のように前後方向に延びている。また、ベース部１３の前部に前記ヘッド部１２が一体的に連結されている。
【００１８】
かかる把持部１１は、工具本体１を電動バリカンとして単体で使用する場合に手で把持される部位であって、その際の滑り止めのために、その表面には他の部分よりも滑りにくい滑り止め領域が設けられている。該滑り止め領域は、把持部１１の軸線方向に沿って前後に延びていて、把持部１１の略上側半分の領域を占めている。より詳細には、図６乃至図１０に示すように、把持部１１の表面に、エラストマー等からなる薄肉状の滑り止め部材１４を貼り付けて滑り止め領域を形成している。
【００１９】
一方、前記モータに電力を供給するための本体側の電源コード６は本体ハウジング４の後端部に取り付けられて後方に延びており、その先端には商用電源に接続可能なように図示しないプラグが取り付けられている。該本体側の電源コード６とモータとの間を電気的に接続する電気配線（図示省略）は把持部１１の内部を挿通していて、その途中には、モータを作動停止（オンオフ）するための駆動スイッチ７が設けられている。該駆動スイッチ７の操作部分は把持部１１の下面から下方に突出しており、把持部１１を把持する手で下側から上方に向けて操作される構成となっている。具体的には、駆動スイッチ７はトリガ型であって、上方即ち把持部１１の内側に向けて駆動スイッチ７を押圧するとその突出量が小さくなってモータに電力が通電されてオン状態となり、上方への押圧力を解除すると突出量の大きい元の初期状態に戻ってモータへの通電が遮断されてオフ状態となる。尚、図３には、駆動スイッチ７が押されてオン状態となった状態が示されている。尚、駆動スイッチ７は把持部１１のヘッド部１２に近い側、即ち、把持部１１の前側に設けられている。
【００２０】
更に、かかる駆動スイッチ７が不用意にオン状態とならないように、それをオフ状態に物理的にロックするためのオフロックスイッチ８が設けられている。該オフロックスイッチ８は、図３に破線で示すように把持部１１に設けられている。詳細には、把持部１１の前側であって、駆動スイッチ７より若干前側に位置している。また、オフロックスイッチ８は、常時は図６に示すように付勢手段であるバネ９によって突出方向に付勢されていて把持部１１の側面から側方に向けて水平方向に突出していて、駆動スイッチ７をオフ状態即ち下方に大きく突出した出状態にロックして内側への進入を阻止している。そして、バネ９の付勢力に抗してオフロックスイッチ８が把持部１１の内側に向けて押されると（図７参照）、駆動スイッチ７のロックが解除され、駆動スイッチ７を上方に押し込んでオン状態とすることができる。尚、オフロックスイッチ８は、円柱状であって、その先端側の端面８ａは外側凸の曲面となっている。
【００２１】
また、本体ハウジング４のベース部１３の下方には、該本体ハウジング４を支持するスライダ１０が取り付けられている。該スライダ１０は、刈り込み高さの基準となるものであって、地面からのブレード３の高さを調整することによって刈り込み高さを調整できるように、本体ハウジング４に対して調整可能に取り付けられている。更に、スライダ１０は、前方位置に刃先ガード部１０ａを備え、該刃先ガード部１０ａを含めてスライダ１０の前後方向の長さは工具本体１のそれよりも長くなっており、従って、工具本体１が前後方向に傾斜してブレード３の刃先の高さが変動することが抑制される。また、スライダ１０は、皿状に形成されていて、刈り込まれた芝等を受けてその上に載せるチップレシーバとしても機能する。
【００２２】
かかる工具本体１の把持部１１に取り付けられる延長ハンドル２は、筒状のポール部２０と、該ポール部２０の一端部に設けられて工具本体１の把持部１１に着脱自在に取り付けられる取付部２１と、ポール部２０の他端部に設けられたハンドル部２２とを備えている。
【００２３】
ハンドル部２２は、延長ハンドル２を工具本体１に取り付けて使用する際に把持部１１の代わりに把持される部位であって、モータのオンオフ操作を行うことができるようになっている。即ち、工具本体１側の駆動スイッチ７と同様に、モータのオンオフ制御をするために操作されるサブ駆動スイッチ２３を備えており、また、該サブ駆動スイッチ２３をオフ状態にロックするためのサブオフロックスイッチ（図示省略）も備えている。従って、延長ハンドル２を使用する際には、工具本体１側の駆動スイッチ７とオフロックスイッチ８に代えて、延長ハンドル２側のサブ駆動スイッチ２３とサブオフロックスイッチとが使用される。また、ハンドル部２２の後端部にはハンドル側電源コード２４が設けられており、該ハンドル側電源コード２４と電気的に接続された電気配線２５がハンドル部２２の内部を通っている。該電気配線２５の途中にサブ駆動スイッチ２３が接続され、その後、電気配線２５はハンドル部２２の前側で一纏めにされて中間コード２６を構成し、該中間コード２６はハンドル部２２からポール部２０の内部に挿通されている。
【００２４】
該中間コード２６の先端側は、ポール部２０の下端部側方の開口部から外部に引き出されて上方に折り返され、ポール部２０の下端部外周面に設けられた繋止部２７に繋止されて折り返しの状態が維持される。この中間コード２６の先端に取り付けられた図示しないプラグは、本体側電源コード６のプラグに接続される。従って、ハンドル側電源コード２４のプラグを商用電源に接続し、サブオフロックスイッチをロック解除してサブ駆動スイッチ２３をオン状態にすると、中間コード２６から本体側電源コード６へと電力が供給される。従って、工具本体１側の駆動スイッチ７がオン状態になっていれば、ハンドル部２２のサブ駆動スイッチ２３を操作することでモータをオンオフ制御することができる。
【００２５】
取付部２１は、その内面が把持部１１の表面形状に合わせて形成された、上側部材３０（第１の部材、周方向の一端部に位置する部材）と下側部材３１（第２の部材）と連結用部材３２（周方向の他端部に位置する部材）の合計三つの部材から構成されている。図３乃至図５に示すように、上側部材３０と下側部材３１と連結用部材３２は、前後方向に略水平に延びる軸線を有するヒンジ部３３、３４を介して互いにヒンジ連結されていて、延長ハンドル２を把持部１１に取り付ける場合において把持部１１を周方向に巻回するように構成されている。尚、図４及び図５においては、後述する締結ネジ３５が省略されている。
【００２６】
具体的には、上側部材３０は、図３、図４、図６、図７に示すように、下方に開口する断面視略Ｃ字状であって前後方向、即ち、把持部１１の軸線方向に延びた形状となっている。上側部材３０は、合成樹脂製であって所定の可撓性を有しており、その可撓性によって断面視略Ｃ字状の下方開口部が左右に広狭する。該上側部材３０は、図３に示すように把持部１１に上方から取り付けられるが、その取付位置は把持部１１の滑り止め領域であり、上側部材３０を把持部１１に上方から嵌め込むように取り付けることで上側部材３０自体の可撓性によって滑り止め領域に仮固定される。また、上側部材３０はポール部２０に取り付けられる部材であり、そのため上側部材３０の上面には後方に向けて徐々に高くなった立ち壁部４０が形成され、その立ち壁部４０の後端部に前記ポール部２０が上下方向に回動可能に支持されている。尚、上側部材３０とポール部２０にはそれぞれセレーション（図示省略）が形成され、任意の角度位置でポール部２０を固定することができる。
【００２７】
更に、上側部材３０の一方の側部、具体的には、一方の側部の前側位置には、オフロックスイッチ８をロック解除するためのオフロック解除部が形成されている。即ち、上側部材３０を上方から把持部１１に取り付ける際に、上側部材３０の相対的な下方移動によってオフロックスイッチ８と摺動してそれを内側に押入させてロック解除するテーパ面４１が、オフロック解除部として形成されている。該テーパ面４１は、図６及び図７に示すように、上側部材３０の側部の内面に形成されていて、下側に向かって徐々に外面側に傾斜している。また、テーパ面４１の下側にはテーパ面４１と連続した垂直面４２が形成されていて、上方から上側部材３０を把持部１１に取り付ける際に、垂直面４２がガイド面となって最初にオフロックスイッチ８に当接する。また、テーパ面４１の上側にも垂直面４３が連続して形成されており、図７に示すように、上側部材３０を把持部１１に取り付けた状態において、その上側の垂直面４３にオフロックスイッチ８の先端側の端面８ａが当接し、それによってオフロックスイッチ８のロック解除の状態が維持される。
【００２８】
また更に、テーパ面４１の前後両側には規制壁部４４がそれぞれ形成されている。該規制壁部４４は、テーパ面４１の両側縁部から内側に向かって立設されていて、下側の垂直面４２の両側から上側の垂直面４３の両側まで延設されている。従って、図５及び図１１に示すように、上側部材３０を把持部１１に取り付ける際に、両規制壁部４４間をオフロックスイッチ８が上側に向けて相対移動していくこととなり、この両規制壁部４４が取付の際の前後のガイドとなって上側部材３０の把持部１１に対する前後の位置が定まる。尚、両規制壁部４４の内面（互いに対峙する面）の下部は、下側ほど互いに離間していく誘導用傾斜面４４ａとなっている。
【００２９】
また、上側部材３０の一方の側部の前側位置にヒンジ部３３が形成され、該ヒンジ部３３に下側部材３１がヒンジ連結されて上下に回動する。逆に、上側部材３０の他方の側部の前側位置には、図４、図８〜図１０、図１２に示すように、前記連結用部材３２を連結するための座部５０が形成されている。該座部５０は、側方に向けて略水平に板状に突設されていて、その先端には側方に開口する切欠５１が形成されている。
【００３０】
一方、上側部材３０にヒンジ連結された下側部材３１は駆動スイッチ７をオン状態にするための駆動スイッチ作動部を有し、下側部材３１を把持部１１に取り付けることにより駆動スイッチ７がオン状態となるように構成されている。具体的には、図８乃至図１０に示すように、下側部材３１は主として把持部１１の下面を覆う構成であって、その内面に駆動スイッチ７を上方に押す押圧部６０が駆動スイッチ作動部として形成されている。図８のように上側部材３０を把持部１１に取り付けた後に引き続いて下側部材３１を把持部１１に接近させるように回動させると、押圧部６０は図９のように駆動スイッチ７を上方に押し込み、これによって駆動スイッチ７がオン状態となる。尚、駆動スイッチ７の前後において把持部１１の表面には凹凸が形成されていることから、下側部材３１の内面は、図３に示すように、把持部１１の表面の凹凸形状に合わせて階段状となっており、その一部が押圧部６０となっている。
【００３１】
この下側部材３１にヒンジ部３４を介してヒンジ連結されて上下に回動可能とされた連結用部材３２は、上側部材３０と下側部材３１との間を架橋する部材であって、上側部材３０と連結用部材３２とを互いに連結するための締結ネジ３５（連結手段）が螺着されている。該締結ネジ３５は、軸部３５ｂの一端部に摘み部３５ａを備えていて、図１０に示すように、上側部材３０と連結用部材３２とを連結させた際に上側からその摘み部３５ａを連結操作可能となっている。連結用部材３２に形成されているネジ受け部７０には、ナット７１が挿入固定されており、そのナット７１に締結ネジ３５の軸部３５ｂの他端部が螺入され、通常は、図８及び図９のようにネジ受け部７０と摘み部３５ａとの間に所定間隔を形成するように螺入される。尚、この所定間隔は、通常、上側部材３０の座部５０の厚みよりも若干大きめに設定しておく。そして、ヒンジ部３４を回動支点として連結用部材３２を上方に引き上げるように回動させると、図１２のように、締結ネジ３５の軸部３５ｂが上側部材３０の座部５０の切欠５１に入り込み、摘み部３５ａとネジ受け部７０との間に座部５０が位置する。その状態から締結ネジ３５の摘み部３５ａを回転操作することにより上側部材３０と連結用部材３２とを連結一体化させることができ、上側部材３０、下側部材３１及び連結用部材３２が環状となって把持部１１を周回する。
【００３２】
以上のように構成された延長ハンドル２付きの手持ち式電動バリカンにあっては、延長ハンドル２を使用せずに電動バリカンを単独で使用することも、延長ハンドル２を取り付けて使用することもできる。延長ハンドル２を取り付ける場合には、図１に示すように、ポール部２０が略水平状態になるように取付部２１に対するポール部２０の角度を設定する。その状態で図５のように取付部２１を把持部１１に取り付けていくのであるが、その際に、工具本体１を載置する載置面Ｓにハンドル部２２が当たることになって載置面Ｓにハンドル部２２が支持されるので、延長ハンドル２を楽に取り付けることができる。
【００３３】
そして、取付部２１を把持部１１に取り付ける際には、まず上側部材３０を把持部１１に仮固定する。上側部材３０を上方から取り付けることができるので、工具本体１を地面に載置した状態で上方から楽に取付作業を行うことができる。また、この取付操作によってオフロックスイッチ８がロック解除され、上側部材３０ひいては取付部２１の把持部１１に対する前後方向の位置決めもできる。特に、上側部材３０を上方から把持部１１に嵌め込むことで自動的にオフロックスイッチ８をテーパ面４１でロック解除でき、ロック解除のための操作が容易である。
【００３４】
次に、上側部材３０の取付操作に引き続いて、下側部材３１を上方に回動操作して駆動スイッチ７を押入してオン状態とするのであるが、その際に、上側部材３０が把持部１１に仮固定されているので、上側部材３０を手で固定する必要がなく、あるいは、手で固定するとしてもその力は小さくて済む。特に、把持部１１の滑り止め領域に上側部材３０を仮固定しているので、下側部材３１を回動操作する際に上側部材３０が位置ずれしたりするということがなく、下側部材３１をスムーズに回動操作することができるうえに、その押圧部６０によって駆動スイッチ７を確実に押入することができるのである。また、上側部材３０によって既にオフロックスイッチ８がロック解除されているので、従来のように一方の手でオフロックスイッチ８をロック解除しながら他方の手で取付作業を行うという必要がなくなる。
【００３５】
続いて、連結用部材３２を上方に回動させると、自動的に締結ネジ３５の軸部３５ｂが上側部材３０の切欠５１に入り、締結ネジ３５の摘み部３５ａとネジ受け部７０の間に座部５０が入り込むので、後は、締結ネジ３５を締め込む作業のみで取付部２１を把持部１１に強固に取り付けることができるのである。このように、座部５０に切欠５１を形成しているので、締結ネジ３５を予め連結用部材３２に螺着させておくことができる。従って、取付作業の都度、締結ネジ３５を螺着する必要がなく、例えば、片手で締結ネジ３５の摘み部３５ａを持って連結用部材３２を上方に引き上げて連結させるということもでき、取付作業が極めて容易である。
【００３６】
また、取付部２１が互いにヒンジ連結された三つの部材から構成されて把持部１１を巻回する構成であるから、部材同士が非連結で分離独立した構成に比して把持部１１への取付作業が容易である。
【００３７】
尚、本実施形態では、締結ネジ３５を上方から操作する構成としたが、側方から操作する構成としてもよい。また、締結ネジ３５を複数設けることもできる。
【００３８】
また、上側部材３０に比して下側部材３１と連結用部材３２の前後方向の長さを短くしたが（下側部材３１と連結用部材３２よりも上側部材３０の前後方向の長さを長くしたが）、同程度の長さとしてもよく、これらの部材の形状等についても任意に設計変更可能である。更に、取付部２１を互いにヒンジ連結された三つの部材から構成したが、四つ以上の部材から構成したり二つの部材から構成してもよい。更に、取付部２１を複数の部材から構成する場合において上側部材３０（第１の部材）と下側部材３１（第２の部材）との間に別の部材を介在させてもよい。但し、下側部材３１を上側部材３０に連結させると上側部材３０の取付操作に続いて直ちに下側部材３１の取付操作を行うことができるため好ましい。また、上側部材３０を最初に把持部１１に取り付けたが、最初に取り付ける部材が別の部材であって上側部材３０を２番目に取り付ける部材としてもよい。更には、互いにヒンジ連結された複数の部材から取付部２１を構成したが、ヒンジ連結の構造を採らずに例えば互いに非連結の二つの半割部材から取付部２１を構成して、両者を締結ネジ３５等の連結手段で連結一体化させる構成としてもよい。
【００３９】
更に、上側部材３０を上方から取り付ける構成としたが、側方から取り付ける構成とすることもできる。また、上側部材３０の仮固定の構造についても種々の変更が可能であって、上側部材３０自体の可撓性を利用するものの他に、例えば、上側部材３０に引っかけ部を設けて把持部１１に引っかけて仮固定する構成としてもよく、可撓性と他の仮固定の構造とを組み合わせてもよい。
【００４０】
尚、滑り止め部材１４を把持部１１の表面に取り付けて滑り止め領域を形成したが、把持部１１の表面にローレットやエンボスを形成するなど種々の表面加工処理を行って他の部分よりも滑りにくいようにしてもよい。
【００４１】
また、駆動スイッチ７やオフロックスイッチ８の構成も適宜設計変更可能であって、例えば、駆動スイッチ７を押しボタン式としたり、オフロックスイッチ８をスライド式にしたりしてもよい。尚、オフロックスイッチ８は把持部１１に設けることが好ましいが、把持部１１の近傍であってもよい。また更に、オフロックスイッチ８を把持部１１の上面に設けてもよく、駆動スイッチ７やオフロックスイッチ８の位置についても適宜変更可能である。
【００４２】
更に、工具本体１（電動工具）の種類についてもバリカンの他、ヘッジトリマ、サンダ、グラインダ、レシプロソー等に適用可能である。
【図面の簡単な説明】
【００４３】
【図１】本発明の一実施形態における延長ハンドル付きの手持ち式電動工具を示す一部断面を含む正面図。
【図２】同実施形態における延長ハンドル付きの手持ち式電動工具の一部断面を含む平面図。
【図３】同実施形態における延長ハンドル付きの手持ち式電動工具の要部を示す一部断面を含む背面図。
【図４】同実施形態における延長ハンドル付きの手持ち式電動工具の要部を示す斜視図。
【図５】同実施形態における延長ハンドル付き手持ち式電動工具においてその延長ハンドルを工具本体に取り付ける途中の状態を示す要部の背面図。
【図６】図３のＢ−Ｂ線断面において延長ハンドルを工具本体に取り付ける途中の状態を示す断面図。
【図７】図３のＢ−Ｂ線断面において延長ハンドルを工具本体に取り付ける途中の状態を示す断面図。
【図８】図１のＡ−Ａ線断面において延長ハンドルを工具本体に取り付ける途中の状態を示す断面図。
【図９】図１のＡ−Ａ線断面において延長ハンドルを工具本体に取り付ける途中の状態を示す断面図。
【図１０】図１のＡ−Ａ線断面図。
【図１１】延長ハンドルを工具本体に取り付ける途中の状態を示す図３の要部拡大図。
【図１２】延長ハンドルを工具本体に取り付ける途中の状態を示す図２の要部拡大図。
【符号の説明】
【００４４】
１    工具本体
２    延長ハンドル
３    ブレード
４    本体ハウジング
５    貫通孔
６    本体側電源コード
７    駆動スイッチ
８    オフロックスイッチ
９    バネ
１０    スライダ
１０ａ  刃先ガード部
１１    把持部
１２    ヘッド部
１３    ベース部
１４    滑り止め部材
２０    ポール部
２１    取付部
２２    ハンドル部
２３    サブ駆動スイッチ
２４    ハンドル側電源コード
２５    電気配線
２６    中間コード
２７    繋止部
３０    上側部材（第１の部材）
３１    下側部材（第２の部材）
３２    連結用部材
３３    ヒンジ部
３４    ヒンジ部
３５    締結ネジ
３５ａ  摘み部
３５ｂ  軸部
４０    立ち壁部
４１    テーパ面（オフロック解除部）
４２    下側の垂直面
４３    上側の垂直面
４４    規制壁部
４４ａ  誘導用傾斜面
５０    座部
５１    切欠
６０    押圧部（駆動スイッチ作動部）
７０    ネジ受け部
７１    ナット
Ｓ    載置面
【図１】
2010046723.tif 000003
【図２】
2010046723.tif 000004
【図３】
2010046723.tif 000005
【図４】
2010046723.tif 000006
【図５】
2010046723.tif 000007
【図６】
2010046723.tif 000008
【図７】
2010046723.tif 000009
【図８】
2010046723.tif 000010
【図９】
2010046723.tif 000011
【図１０】
2010046723.tif 000012
【図１１】
2010046723.tif 000013
【図１２】
2010046723.tif 000014